(57)【要約】      （修正有）【課題】製造工程やコストを大幅に削減するとともに、使用の際においても高い利便性を発揮することができる靴べらを提供する。【解決手段】シート状に形成された靴べら１であって、前記靴べら１のシート本体２の少なくとも一ヶ所に、該シート本体２を指先で挟持した際、互いの指先が接触する状態となる開孔部３を穿孔させた。また前記開孔部３は円形であり、多角形状である。さらにシート本体２に切込または凹溝を形成したり、メッセージ記載部を設けたりすることもできる。【選択図】図１
0003178025.tif 000002
【実用新案登録請求の範囲】
【請求項１】
シート状に形成された靴べらであって、前記靴べらのシート本体の少なくとも一ヶ所に、該シート本体を指先で挟持した際、互いの指先が接触する開孔部を穿孔させたことを特徴とする靴べら。
【請求項２】
前記開孔部は円形である請求項１記載の靴べら。
【請求項３】
前記開孔部の径が５〜１５ｍｍである請求項２記載の靴べら。
【請求項４】
前記開孔部は楕円形状である請求項１記載の靴べら。
【請求項５】
前記開孔部は多角形状である請求項１記載の靴べら。
【請求項６】
前記シート本体に切込または凹溝を形成した請求項１乃至５のうち何れか１項に記載の靴べら。
【請求項７】
前記シート本体にメッセージ記載部を形成した請求項１乃至６のうち何れか１項に記載の靴べら。
【考案の詳細な説明】
【技術分野】
【０００１】  本考案は、製造工程やコストを削減し、さらに使用勝手を向上させることができる靴べらに関する。
【背景技術】
【０００２】  靴を履くときに使用される靴べらは、プラスチック、木製、金属等の素材で形成されており、靴や踵の形状に沿うようにやや湾曲状に形成されている。また靴べらの大きさは、玄関に備える長尺状のもと携帯に容易な短形のものがある。【０００３】  しかし、一般的な靴べらはやや肉厚で湾曲状に形成されているため、靴べらをポケットに入れて携帯する際は嵩張るとともに、重さにより違和感を得るという問題が生じた。【０００４】  そのため従来技術として、靴べらとしての効果的な使用が可能かつ携帯性に優れる靴べらがある（例えば特許文献１参照）。
上掲特許文献１の靴べらは、長方形状弾性シート体に、一短辺部から中央部に向かう２本の切り込みを形設したことを特徴とする。【０００５】  また、名刺入れや定期入れに入れることが可能であり、また、他の目的、例えばカレンダーや名刺或いはクレジットカードとして使用することができる靴べらがある（例えば特許文献２参照）。
上掲特許文献２の靴べらは、薄いカード形の三方向の各側面の近傍内側に、細い或いは狭い連続する打ち抜き部を設けることにより、外側枠と、該外側枠の内部にその基端部回りに弾性的に曲折可能な幅広の舌部と、を形成して成ることを特徴とする。
【先行技術文献】
【特許文献】
【０００６】
【特許文献１】実用新案登録第３０１１５５６号公報
【特許文献２】特開平１１−２０６５４５号公報
【考案の概要】
【考案が解決しようとする課題】
【０００７】  しかしながら、上掲特許文献１および特許文献２の靴べらにおいては、切り込みや円形孔、また打ち抜き部等を形成する必要があり、製造工程やコストが多くなるという欠点があった。また全体が薄状に形成されているため、使用の際に指が滑り利便性が低下するという欠点もあった。【０００８】  そこで本考案は上記の点に鑑み、製造工程やコストを大幅に削減するとともに、使用の際においても高い利便性を発揮することができる靴べらを提供することにある。
【解決を解決するための手段】
【０００９】  上記課題を解決するために本考案の靴べらは、シート状に形成された靴べらであって、前記靴べらのシート本体の少なくとも一ヶ所に、該シート本体を指先で挟持した際、互いの指先が接触する開孔部を穿孔させた。
【００１０】  また、前記開孔部は円形である。
【００１１】  また、前記開孔部の径が５〜１５ｍｍである。
【００１２】  また、前記開孔部は楕円形状である。
【００１３】  また、前記開孔部は多角形状である。
【００１４】  また、前記シート本体に切込または凹溝を形成した。
【００１５】  さらに、前記シート本体にメッセージ記載部を形成した。
【考案の効果】
【００１６】  靴べらのシート本体の少なくとも一ヶ所に、シート本体を指先で挟持した際、互いの指先が接触する開孔部を穿孔させたことにより、使用の際、指がシート本体からズレたりシート本体が落下したりすることがない。
【００１７】  また、シート本体に切込または凹溝を形成したことで、靴や踵の形状に容易にフィットさせることができる。
【図面の簡単な説明】
【００１８】
【図１】本考案の靴べらの正面図である。
【図２】前記靴べらの使用状態の拡大断面図である。
【図３】楕円形状の開孔部を有する靴べらの正面図である。
【図４】多角形状の開孔部を有する靴べらの正面図である。
【図５】他の好適例、本考案の靴べらの正面図である。
【図６】他の好適例、本考案の靴べらの正面図である。
【図７】本考案の靴べらの使用状態である。
【考案を実施するための形態】
【００１９】  本考案の靴べらは、製造工程やコストを大幅に削減するとともに、使用の際においても高い利便性を発揮することを特徴とするものである。
以下、本考案の靴べらにおける実施の形態を図面に基づいて説明する。
【００２０】  図示する靴べら１は、薄状のシート状に形成されたシート本体２と、シート本体２の少なくとも一ヶ所に穿孔された開孔部３とを備えたことを特徴とする。
【００２１】  シート本体２は薄状に形成されており、材質は樹脂や紙、また金属等で形成することができる。特に好ましくは、軽量で柔軟性があり、適宜強度を有する合成樹脂にて形成する。
【００２２】  またシート本体２の大きさは、汎用のテレフォンカードと同様なサイズを呈している。さらに、前記シート本体２の開孔部３と対向する先方両隅は、利便性を考慮して緩やかな湾曲状に形成されている。
【００２３】  本考案の靴べら１を薄いシート状で形成することで、ズポンやシャツの胸ポケットに入れても違和感がなく、さらに財布や名刺入れ、また定期入れ等にも容易に収納させることができる。
【００２４】  また前記シート本体２に穿孔された開孔部３は、図１に示すように円状に形成されている。また特に開孔部３は、図２に示すように、指先でシート本体２を挟持した際、互いの指先が接触する状態となる大きさを呈している。前記シート本体２に開孔部３を設けることで、シート本体２を靴べらとして使用する際、指で開孔部３を挟持することで、指がシート本体２からズレたり落下したりすることがない。
【００２５】  また前記開孔部３の大きさは特に限定されたものではないが、径が５〜１５ｍｍであることが好ましい。特に、使い勝手やシート本体２の強度を考慮した際、約１０ｍｍの径にて穿孔することがより望ましい。
【００２６】  また他の好適例として、図３に示すように、前記開孔部３を楕円形状に形成することもできる。また図４に示すように三角形や、四角、５角、六角等の多角形状で形成してもよい。前記開孔部３はシート本体２を挟持した際、互いの指先同士が接触できる大きさや形状であれば、特に限定されたものではない。なお前記開孔部３は、シート本体２に複数を穿孔してもよい。
【００２７】  また他の好適例として、図５に示すように、前記シート本体２に切込４または凹溝５を形成することもできる。前記切込４または凹溝５は、シート本体２の略中央部であって、前記開孔部３と対向する箇所に長手方向に形成される。前記切込４または凹溝５を設けることで、靴や踵に装着した際、切込４または凹溝５より屈曲して容易にフィットさせることができ、利便性を向上させることができる。
【００２８】  また他の好適例として、前記シート本体２にメッセージ記載部６を形成することもできる。メッセージ記載部６は、図６に示すようにシート本体２の開孔部３を除く箇所に形成されている。前記メッセージ記載部６には、会社名や広告、コメント、目盛、キャラクター、絵画等のさまざまなメッセージを記載することができる。シート本体２にメッセージ記載部６を形成することにより、企業や公共施設の宣伝媒体やプレゼントとして有意義に使用することができる。
【００２９】  次に、本考案の靴べらの使用方法の詳細を説明する。
先ず、シート本体２の開孔部３を指先で挟持する。次に、図７に示すように、シート本体２を踵部分に配設させ、通常の靴べらを使用するように足を靴内に挿入させる。この際、開孔部３により互いの指先が接触した状態となるため、指からシート本体２からズレたり落下したりすることがない。
【００３０】  使用後、靴べら１をズポンやシャツの胸ポケット、また財布や定期入れ等に入れて携帯する。この際、シート本体２は薄いシート状に形成されているため、違和感なく収納や携帯をすることができる。
【符号の説明】
【００３１】１    靴べら
２    シート本体
３    開孔部
４    切込
５    凹溝
６    メッセージ記載部
【図１】
0003178025.tif 000003
【図２】
0003178025.tif 000004
【図３】
0003178025.tif 000005
【図４】
0003178025.tif 000006
【図５】
0003178025.tif 000007
【図６】
0003178025.tif 000008
【図７】
0003178025.tif 000009